(57)【要約】【課題】横幅寸法を小さくすることができるカード用コネクタ装置の提供。【解決手段】側縁部に凹部２７を有するカード２３が収容される収容部１ａを備えるとともに、収容部１ａの両側部にカード２３を収容部１ａに案内するガイド部２を備え、このガイド部２の内部に、カード２３の凹部２７に係合離脱可能なロック部３１を有するロック部材２８を、カード２３の面部に対して交差する方向に、例えば直交する方向に回動可能に配設してある。【選択図】　　　図１
2004031208.tif 000002
【特許請求の範囲】
【請求項１】
側縁部に凹部が形成されたカードが収容される収容部を備えるとともに、
上記収容部の両側部に上記カードを上記収容部内へ案内するガイド部を備え、このガイド部の内部に、上記カードの上記凹部に係合離脱可能なロック部材を、上記カードの面部に対して交差する方向に変位可能に配設したことを特徴とするカード用コネクタ装置。
【請求項２】
上記請求項１記載の発明において、
上記ロック部材を回動可能に支持させるとともに、
このロック部材の一端に、上記カードの上記凹部に係合離脱可能なロック部を設けたことを特徴とするカード用コネクタ装置。
【請求項３】
上記請求項１または２記載の発明において、
上記カードは、上記凹部が位置する少なくとも一方の側縁部にその挿入方向に沿って形成される段差部を有し、
上記カードを上記収容部内へ収容した状態で、上記ロック部材が上記段差部によって形成される空隙部内に位置することを特徴とするカード用コネクタ装置。
【請求項４】
上記請求項２または３記載の発明において、
上記カードを挿入口方向へ排出する排出機構を備え、
この排出機構が、カードを押し出す押し出し部材と、この押し出し部材を操作する操作部材とを含むとともに、
上記操作部材の操作と、上記ロック部材の上記カードの上記凹部からの離脱動作とを連動させる連動手段を備えたことを特徴とするカード用コネクタ装置。
【請求項５】
上記請求項４記載の発明において、
上記排出機構が、ハート型カム溝と、このハート型カム溝を摺動する摺動部材と、上記押し出し部材を駆動する駆動板とを含み、
上記操作部材を一旦押すことによりこの操作部材が第１の位置から第２の位置へ突出し、この第２の位置において上記操作部材を再度押すことにより上記摺動部材が上記駆動板を作動させ、この駆動板により上記押し出し部材が駆動する連動関係に設定してあるとともに、
上記操作部材が上記第１の位置から上記第２の位置へ突出する過程で、上記ロック部材が上記カードの上記凹部から離脱する連動関係に設定してあることを特徴とするカード用コネクタ装置。
【発明の詳細な説明】
【０００１】
【発明の属する技術分野】
本発明は、情報記憶カードが収容される収容部を有するカード用コネクタ装置に関する。
【０００２】
【従来の技術】
この種のカードには側縁部に凹部が形成されているものがある。このような凹部を有するカードが収容される収容部を備えたカード用コネクタ装置として、カードの凹部に対向する横方向に、この凹部に係合可能な弾性片を配置したものが従来提案されている。この従来技術では、カードが収容部に収容された状態では、弾性片がカードの凹部に係合し、この弾性片により収容部のカードが抜け止めされる。
【０００３】
【発明が解決しようとする課題】
上述の従来技術では、カードの凹部に対向させて弾性片を配置してあることから、また配置された弾性片がカードの横方向に変位するものであることから、コネクタ装置全体の横幅方向が大きくなり、小型化を見込めない問題がある。
【０００４】
本発明は、上記した従来技術における実状からなされたもので、その目的は、横幅寸法を小さくすることができるカード用コネクタ装置を提供することにある。
【０００５】
【課題を解決するための手段】
上記目的を達成するために、本発明は、側縁部に凹部が形成されたカードが収容される収容部を備えるとともに、上記収容部の両側部に上記カードを上記収容部内へ案内するガイド部を備え、このガイド部の内部に、上記カードの上記凹部に係合離脱可能なロック部材を、上記カードの面部に対して交差する方向に変位可能に配設したことを特徴としている。
【０００６】
このように構成した本発明は、カードを案内するガイド部の内部にカードの凹部に係合離脱可能なロック部材を設けてあるので、カードが含まれる領域内にロック部材を配置させることができる。すなわち本発明では、従来、カードの凹部に係合離脱していた部材の配置、及び変位に必要であった横方向の寸法相当分を除去することができる。これにより、横幅寸法を小さくすることができる。
【０００７】
また上記発明において、本発明は、上記ロック部材を回動可能に支持させるとともに、このロック部材の一端に、上記カードの上記凹部に係合離脱可能なロック部を設けたことを特徴としている。
【０００８】
このように構成した本発明は、ロック部材の回動動作に伴って、このロック部材のロック部をカードの凹部に係合離脱させることができる。ロック部材の回動支持は簡単な構造で実現でき、また、ロック部は例えばロック部材の製作時に同時に形成させることができる。
【０００９】
また上記発明において、本発明は、上記カードは、上記凹部が位置する少なくとも一方の側縁部にその挿入方向に沿って形成される段差部を有し、上記カードを上記収容部内へ収容した状態で、上記ロック部材が上記段差部によって形成される空隙部内に位置することを特徴としている。
【００１０】
このように構成した本発明は、カードの段差部によって形成される空隙部内にロック部材を位置させるので、カードの厚さ方向に相応する寸法、すなわちコネクタ装置の厚さ寸法を小さくすることができる。
【００１１】
また上記発明において、本発明は、上記カードを挿入口方向へ排出する排出機構を備え、この排出機構が、カードを押し出す押し出し部材と、この押し出し部材を操作する操作部材とを含むとともに、上記操作部材の操作と、上記ロック部材の上記カードの上記凹部からの離脱動作とを連動させる連動手段を備えたことを特徴としている。
【００１２】
このように構成した本発明は、カードが収容部に収容され、ロック部材によるカードロックが解除されている状態で、操作部材を操作すると、その操作に伴って押し出し部材が作動し、カードが挿入口方向に押し出される。また、ロック部材によってカードがロックされている状態で操作部材を操作すると、連動手段を介して、ロック部材をカードの凹部から離脱させることができる。
【００１３】
また上記発明において、本発明は、上記排出機構が、ハート型カム溝と、このハート型カム溝を摺動する摺動部材と、上記押し出し部材を駆動する駆動板とを含み、上記操作部材を一旦押すことによりこの操作部材が第１の位置から第２の位置へ突出し、この第２の位置において上記操作部材を再度押すことにより上記摺動部材が上記駆動板を作動させ、この駆動板により上記押し出し部材が駆動する連動関係に設定してあるとともに、上記操作部材が上記第１の位置から上記第２の位置へ突出する過程で、上記ロック部材が上記カードの上記凹部から離脱する連動関係に設定してあることを特徴としている。
【００１４】
このように構成した本発明は、製作の容易なハート型カム溝と、このハート型カム溝を摺動する摺動部材、及び製作の容易な駆動板を介してカードの排出動作を実現できる。
【００１５】
【発明の実施の形態】
以下，本発明のカード用コネクタ装置の実施形態を図に基づいて説明する。
【００１６】
図１は本発明の一実施形態の全体構成を示す図で、上面を覆うカバーを外した状態を示す平面図、図２の（ａ）図は図１のＡ方向から見た正面図、（ｂ）図は図１のＢ方向から見た側面図、図３は図１に示す一実施形態に備えられるハート型カム溝を示す側面図である。
【００１７】
図４は図１に示す一実施形態に備えられるプッシュロッド及びつまみを示す側面図、図５は図１に示す一実施形態に備えられる駆動板を示す側面図、図６は図１に示す一実施形態に備えられるロック部材を示す説明図で、（ａ）図は平面図、（ｂ）図は本体を形成するシャーシに取り付けた状態を示す側面図である。
【００１８】
本実施形態は、図１の左側位置を形成する前方位置に後述のカードが挿入される挿入口１を有し、内部にカードが挿入される収容部１ａを有する。収容部１ａの両側部にはカードを案内する一対のガイド部２を設けてある。後方位置には、カードの先端部に形成された端子に接続可能な外部接続コネクタ３を設けてある。この外部接続コネクタ３の上方には、軸４を中心に同図１の紙面に沿う方向に回動可能で、収容部１ａに収容されたカードを挿入口１方向へ押し出す押し出し部材５を設けてある。この押し出し部材５の一端には、図２の（ａ）図にも示すように、収容部１ａに収容されたカードの先端部に当接可能な突出片６を設けてある。
【００１９】
一方のガイド部２の側方には、図２の（ｂ）図にも示すように、押し出し部材５を操作する操作部材、すなわちプッシュロッド７と、このプッシュロッド７の挿入口１側の端部に装着したつまみ１１とを配置してある。
【００２０】
プッシュロッド７は、図１に示すように、このプッシュロッド７を挿入口１方向に付勢可能なばね１０が係着される係合部８を有する。ばね１０の他端は、本体を形成するシャーシ９に固定してある。また、プッシュロッド７には、図４に示すように摺動部材１２を装着させてある。摺動部材１２の一方の端部付近１３がプッシュロッド７に取り付けられている。この摺動部材１２の他端にはピン部１４を形成してある。
【００２１】
また、図１に示すように、摺動部材１２に対向するように、ハート型カム溝１５を設けてある。このハート型カム溝１５は、本体を形成するシャーシ９に設けてある。このハート型カム溝１５は、図３にも示すように摺動部材１２のピン部１４を係止させる係止部１６と、摺動部材１２のピン部１４を係止部１６まで案内する往路１８と、ピン部１４を係止部１６から往路１８まで案内する復路１７とを有する。
【００２２】
上述したプッシュロッド７とハート型カム溝１６との間の領域には、図２の（ｂ）図に示すように、プッシュロッド７の操作に伴って押し出し部材５を駆動する駆動板１９を設けてある。この駆動板１９は図５に示すように、摺動部材１２のピン部１４が当接可能な端部２０を有するとともに、同図２の（ｂ）図に示すように、押し出し部材５の端部２２が連結される切り欠き２１を有する。
【００２３】
図１及び図２の（ａ）図に示すように、一方のガイド部２の内部に、カードの凹部に係合離脱可能なロック部材２８を設けてある。このロック部材２８は、図６の（ａ）（ｂ）図に示すように、前述した挿入口１方向に位置する端部に、プッシュロッド７に設けた係合片２９に係合可能な張り出し部３０を有する。他端にカードの凹部に係合離脱可能なロック部３１を有する。このロック部３１は例えば挿入口１方向の端部が低くなるテーパ面に形成してある。また、ばね３２の一端を受けるばね受け３４を有する。
【００２４】
ばね３２は、ロック部材２８に形成された軸３３に装着され、一端が前述したようにばね受け３４に係着され、他端が本体を形成するシャーシ９に係着される。ロック部材２８の軸３３はシャーシ９に支持される。ロック部材２８は軸３３を中心に、カードの面部に対して交差する方向に、例えば直交する方向に変位可能に、すなわち回動可能に配置されている。
【００２５】
上述したプッシュロッド７に設けられる図６の（ｂ）図に示す係合片２９は、挿入口１側の端部が低くなるテーパ面に形成してあるとともに、後述するように、ロック部材２８の張り出し部３０の下側に係合可能になっている。このプッシュロッド７の係合部２９とロック部材２８の張り出し部３０とによって、つまみ１１及びプッシュロッド７の操作と、ロック部材２８のカードの凹部からの離脱動作とを連動させる連動手段が構成されている。
【００２６】
また、上述したつまみ１１とプッシュロッド７から成る操作部材と、ハート型カム溝１５と、駆動板１９と、押し出し部材５とによって、カード２３を挿入口１方向へ排出する排出機構が構成されている。
【００２７】
なお、説明を簡単にするために、図１ではカバー９ａを外して描いてあるが、図２の（ａ）図等に示すように、本実施形態は、上面を覆うカバー９ａを有するものである。
【００２８】
図７は図３に示すハート型カム溝１５と、このハート型カム溝１５を摺動する摺動部材１２との動作関係を示す側面図である。この図７で、（ａ）図はカードロック時の状態を示す図、（ｂ）図はカードの排出に際し一旦つまみ１１が押され、その後つまみ１１が挿入口１方向に押し戻された時の状態、すなわちカードの排出準備段階を示す図である。また、（ｃ）図はカードの排出が実施される時の初期状態を示す図、（ｄ）図はカードの排出中の状態を示す図である。
【００２９】
図８は図６に示すロック部材２８の動作を示す側面図で、（ａ）図はカードの挿入時の状態を示す図、（ｂ）図はカードのロック時の状態を示す図である。
【００３０】
図９も図６に示すロック部材２８の動作を示す側面図で、（ａ）図はカードの排出に際し一旦つまみ１１が押され、その後つまみ１１が挿入口１方向に押し戻された時の状態、すなわちカードの排出の準備段階を示す図である。（ｂ）図はカード排出過程を示す図、（ｃ）図はカードの排出完了時の状態を示す図である。
【００３１】
図８，９に示すように、本実施形態のコネクタ装置に挿入されるカード２３は、側縁部に凹部２７を有し、この凹部２７にロック部材２８のロック部３１が係合離脱可能になっている。また、凹部２７が形成された側縁部に段差部２４を有し、カード２３を収容部１ａに収容した状態で、この段差部２４によって形成される空隙部２５内にロック部材２８が位置するように設けてある。なお前述したように、収容部１ａに収容されたカード２３の先端部２６に押し出し部材５の突出片６が当接可能になっている。
【００３２】
以下に本実施形態の動作について説明する。
【００３３】
［カード挿入動作］
図８の（ａ）図に示すように、カード２３が挿入口１から挿入されると、カード２３は図１に示すガイド部２上を摺動し、ロック部材２８を乗り越えるようにして奥行き方向に移動する。この間、同図８の（ａ）図に示すように、カード２３の先端部２６の近傍部分がロック部材２８のロック部３１をばね３２の力に抗して押し下げながら移動する。また、カード２３の先端部２６が図１に示す押し出し部材５の突出片６に係合した時点から押し出し部材５の回動が始まり、これに伴って図７等に示す駆動板１９が挿入口１の方向へ移動する。
【００３４】
［カードロック動作］
カード２３の収容部１ａへの挿入が終了し、カード２３の図示しない端子が外部接続コネクタ３に接続される状態に至ると、図８の（ｂ）図に示すように、ロック部材２８のロック部３１がカード２３の凹部２７に対向し、ばね３２の力によりロック部材２８が回動する。これにより、カード２３の凹部２７内にロック部３１が侵入して係合し、カード２３は収容部１ａからの取り出しが不能なロック状態となる。この状態において、収容部１ａに収容されたカード２３と、図示しない電子機器との間の所定の信号の送受信が可能となる。
【００３５】
なお、上述のようなカードロック状態に至るまでは、つまみ１１及びプッシュロッド７から成る操作部材は操作されないが、このときプッシュロッド７に装着された摺動部材１２のピン部１４は、図７の（ａ）図に示すハート型カム溝１５の係止部１６に係止された状態となっている。また、図１に示す状態は、このようなカードロック状態における平面図を示している。
【００３６】
［カード排出の準備動作］
上述のようにカード２３が収容部１ａに収容され、ロック部材２８によってロックされている状態から、カード２３を挿入口１方向へ排出させようとするときには、プッシュ・プッシュ操作、すなわち、つまみ１１を２回押す操作がおこなわれる。始めの１回はカード２３の排出のための準備動作となる。
【００３７】
この１回目のつまみ１１の押し操作がおこなわれると、図７の（ｂ）図に示すように、プッシュロッド７に装着された摺動部材１２のピン部１４がハート型カム溝１５の係止部１６から離脱し、復路１７上を摺動する。ピン部１４が係止部１６から離脱したことにより、プッシュロッド７に対する拘束が解かれ、図１に示すばね１０の力によりプッシュロッド７は、ロック位置である第１の位置から初期待機位置である第２の位置に向かって、すなわち挿入口１の方向に突出するように移動する。
【００３８】
この間、図９の（ａ）図に示すように、プッシュロッド７の係合片２９がロック部材２８の張り出し部３０の下側に係合し、ばね３２の力に抗してロック部材２８が前述とは逆方向に回動する。これにより、このロック部材２８のロック部３１がカード２３の凹部２７から離脱する。この状態では、カード２３が収容部１ａに収容されているものの、カード２３に対するロックが解除される。すなわち、プッシュロッド７が前述したようにロック位置である第１の位置から、初期待機位置である第２の位置へ突出する過程で、ロック部材２８のロック部３１がカード２３の凹部２７から離脱し、このカード２３のロックが解除される。
【００３９】
［カード排出動作］
上述の状態から初期待機位置である第２の位置において、２回目のつまみ１１の押し動作がおこなわれると、図１に示すばね１０の力に抗しておこなわれるプッシュロッド７の移動に伴って、図７の（ｃ）図に示すように、摺動部材１２のピン部１４がハート型カム溝１５の往路１８上を摺動し、駆動板１９の端部２０に当接する。引き続いておこなわれるプッシュロッド７の移動に伴って、図７の（ｄ）図に示すように、ピン部１４に押されて駆動板１９が奥行き方向に移動する。この駆動板１９の移動に伴って、図１に示す押し出し部材５が軸４を中心に同図１において反時計方向に回動し、その突出片６によって図９の（ｂ）図に示すように、カード２３が挿入口１方向へ押し出され始める。
【００４０】
引き続きおこなわれるプッシュロッド７の移動に伴って、図７の（ａ）図に示すように、摺動部材１２のピン部１４がハート型カム溝１５の係止部１６に係止されたときには、図１に示すばね１０はプッシュロッド７を挿入口１方向へ付勢する伸長状態に保持され、カード２３の一部が挿入口１から突出し、図９の（ｃ）図に示す状態となってカード２３の排出動作は完了する。したがって、カード２３を挿入口１から抜き取ることができる。
【００４１】
このように構成した本実施形態は、カード２３を案内する図１、図２の（ａ）図に示すガイド部２の内部にカード２３の凹部２７に係合離脱可能なロック部材２８を設けてあるので、カード２３が含まれる領域内にロック部材２８を配置させることができる。したがって、ガイド部２の横方向にロック部材２８の配置領域、及びロック部材２８の駆動領域を設定しないで済み、これによって全体の横幅寸法を小さくすることができ、小型化を実現できる。
【００４２】
また本実施形態は、ロック部材２８を回動させることによりロック部３１をカード２３の凹部２７に係合離脱させる構成にしてある。ロック部材２８の回動支持は、ロック部材２８の軸３３をシャーシ９に取り付けるだけの簡単な構造で実現でき、また軸３３およびロック部３１はロック部材２８の製作時に同時に形成させることができ、これらにより製作費を安く抑えることができる。
【００４３】
また本実施形態は、カード２３が、凹部２７の位置する側縁部にその挿入方向に沿って形成される段差部２４を有し、カード２３を収容部１ａ内へ収容した状態で、ロック部材２８が段差部２４によって形成される空隙部２５内に位置するように構成してある。これによりカード２３の厚さ方向に相応する寸法、すなわちこのコネクタ装置全体の厚さ寸法も小さくすることができ、より小型化を実現できる。
【００４４】
また本実施形態は、カード２３を挿入口１方向へ排出する排出機構を備え、この排出機構が、カード２３を押し出す押し出し部材５と、この押し出し部材５を操作するつまみ１１及びプッシュロッド７とを含んでいる。さらに、つまみ１１及びプッシュロッド７の操作と、ロック部材２８のカード２３の凹部２７からの離脱動作とを連動させる連動手段、すなわちロック部材２８に設けた張り出し部３０とプッシュロッド７に設けた係合片２９の組み合わせを有する構成にしてある。この構成により、つまみ１１及びプッシュロッド７の操作に伴い、張り出し部３０と係合片２９を介してカード２３の円滑な排出動作を実現できる。
【００４５】
また本実施形態は、カード２３の排出機構が、ハート型カム溝１５と、摺動部材１２と、駆動板１９とを含み、つまみ１１のプッシュ・プッシュ操作により摺動部材１２が駆動板１９を作動させ、この駆動板１９により押し出し部材５が回動してカード２３を押し出す連動関係に設定してある。また、プッシュロッド７がロック位置である第１の位置から初期待機位置である第２の位置へ突出する過程で、ロック部材２８のロック部３１がカード２３の凹部２７から離脱する連動関係に設定してある。すなわち、製作の容易なハート型カム溝１５と、このハート型カム溝１５を摺動する摺動部材１２、及び製作の容易な駆動板１９を介してカード２３の排出動作を実現でき、製作費を安くすることができる。
【００４６】
【発明の効果】
以上述べたように、本発明は、横幅寸法を小さくすることができ、従来に比べて小型化を実現できる。
【００４７】
また、本発明は、ロック部材を回動可能に支持させるとともに、このロック部材の一端に、カードの凹部に係合離脱可能なロック部を設けた構成にしてある。ロック部材の回動支持は簡単な構造とすることができ、ロック部はロック部材の製作時に同時に形成可能である。これらにより、製作費を安く抑えることができる。
【００４８】
また、本発明は、カードが、凹部の位置する側縁部に段差部を有し、カードを収容部へ収容した状態で、ロック部材が段差部によって形成される空隙部内に位置する構成にしてある。これによりカードの厚さ方向に相応する寸法、すなわちコネクタ装置の厚さ寸法を小さくすることができ、より小型化を実現できる。
【００４９】
また、本発明は、カードを挿入口方向へ排出する排出機構を備え、この排出機構が、カードを押し出す押し出し部材と、この押し出し部材を操作する操作部材とを含んでいる。また、操作部材の操作と、ロック部材のカードの凹部からの離脱動作とを連動させる連動手段とを備えた構成にしてある。これらにより、連動手段を介して、ロック部材をカードの凹部から離脱させることができ、カードの円滑な排出動作を実現できる。
【００５０】
また、本発明は、排出機構が、ハート型カム溝と摺動部材と駆動板とを含み、操作部材を２度押すことにより摺動部材が駆動板を作動させ、この駆動板により押し出し部材が駆動する連動関係に設定してある。また、操作部材が第１の位置から第２の位置へ突出する過程で、ロック部材がカードの凹部から離脱する連動関係に設定してある。すなわち、製作の容易なハート型カム溝と摺動部材、及び製作の容易な駆動板を介して、カードの排出動作を実現でき、制作費を安くすることに貢献する。
【図面の簡単な説明】
【図１】本発明のカード用コネクタ装置の一実施形態の全体構成を示す図で、上面を覆うカバーを外した状態を示す平面図である。
【図２】（ａ）図は図１のＡ方向から見た正面図、（ｂ）図は図１のＢ方向から見た側面図である。
【図３】図１に示す一実施形態に備えられるハート型カム溝を示す側面図である。
【図４】図１に示す一実施形態に備えられるプッシュロッド及びつまみを示す側面図である。
【図５】図１に示す一実施形態に備えられる駆動板を示す側面図である。
【図６】図１に示す一実施形態に備えられるロック部材を示す説明図で、（ａ）図は平面図、（ｂ）図は本体を形成するシャーシに取り付けた状態を示す側面図である。
【図７】図３に示すハート型カム溝と、このハート型カム溝を摺動する摺動部材との動作関係を示す側面図で、（ａ）図はカードロック時の状態を示す図、（ｂ）図はカードの排出に際し一旦つまみが押され、その後つまみが挿入口方向に押し戻された時の状態、すなわちカードの排出の準備段階を示す図、（ｃ）図はカードの排出が実施される時の初期状態を示す図、（ｄ）図はカード排出中の状態を示す図である。
【図８】図６に示すロック部材の動作を示す側面図で、（ａ）図はカード挿入時の状態を示す図、（ｂ）図はカードロック時の状態を示す図である。
【図９】図６に示すロック部材の動作を示す側面図で、（ａ）図はカードの排出に際し一旦つまみが押され、その後つまみが挿入口方向に押し戻された時の状態、すなわちカードの排出の準備段階を示す図、（ｂ）図はカード排出過程を示す図、（ｃ）図はカードの排出完了時の状態を示す図である。
【符号の説明】
１　　挿入口
１ａ　収容部
２　　ガイド部
３　　外部接続コネクタ
４　　軸
５　　押し出し部材（排出機構）
６　　突出片
７　　プッシュロッド（操作部材）〔排出機構〕
８　　係合部
９　　シャーシ
９ａ　カバー
１０　ばね
１１　つまみ（操作部材）〔排出機構〕
１２　摺動部材（排出機構）
１３　端部付近
１４　ピン部
１５　ハート型カム溝（排出機構）
１６　係止部
１７　復路
１８　往路
１９　駆動板（排出機構）
２０　端部
２１　切り欠き
２２　端部
２３　カード
２４　段差部
２５　空隙部
２６　先端部
２７　凹部
２８　ロック部材
２９　係合片（連動手段）
３０　張り出し部（連動手段）
３１　ロック部
３２　ばね
３３　軸
３４　ばね受け
【図１】
2004031208.tif 000003
【図２】
2004031208.tif 000004
【図３】
2004031208.tif 000005
【図４】
2004031208.tif 000006
【図５】
2004031208.tif 000007
【図６】
2004031208.tif 000008
【図７】
2004031208.tif 000009
【図８】
2004031208.tif 000010
【図９】
2004031208.tif 000011